(57)【要約】      （修正有）【課題】  シール容積を確保すると共に、モーメント荷重に対する高い負荷能力を有する流体軸受装置を提供する。また、シール容積を確保すると共に、高いシール機能を有する流体軸受装置を提供する。【解決手段】  軸部材２の外周に第一シール部９、および第二シール部１０が軸方向に離隔して固定され、第一シール部９の外周面９ｂとハウジング部７の上端内周面７ａ１との間、および第二シール部１０の外周面１０ｂとハウジング部７の下端内周面７ａ２との間にそれぞれ第一、第二シール空間Ｓ１、Ｓ２が形成される。また、第一シール部９の外周面９ｂに、第一シール部９の旋削加工により螺旋状の切削痕１１が、第二シール部１０の外周面１０ｂに、第二シール部１０の旋削加工により螺旋状の切削痕１２がそれぞれ生成される。【選択図】  図２
2007051719.tif 000002
【特許請求の範囲】
【請求項１】
ハウジング部と、該ハウジング部の内部に設けられるスリーブ部と、前記ハウジング部および前記スリーブ部に対して相対回転する軸部材と、前記スリーブ部と前記軸部材との間のラジアル軸受隙間に生じる流体の潤滑膜で前記軸部材をラジアル方向に回転自在に支持するラジアル軸受部と、前記スリーブ部の少なくとも一端側に位置する環状のシール部とを備えた流体軸受装置において、
前記シール部は前記軸部材に設けられ、前記シール部の外周面の側にシール空間が形成され、
前記シール部のシール空間に臨む外周面は、該外周面の機械加工時に生成された加工痕を有し、該加工痕は、前記シール空間内の流体を前記ハウジング部の内部側に引込み可能な形状を有することを特徴とする流体軸受装置。
【請求項２】
前記加工痕は、旋削加工時に生成された螺旋状の切削痕である請求項１記載の流体軸受装置。
【請求項３】
前記シール部の外周面に、前記ハウジング部の外部に向けて漸次縮径するテーパ面が形成される請求項１記載の流体軸受装置。
【発明の詳細な説明】
【技術分野】
【０００１】
本発明は、軸受隙間に生じる流体の潤滑膜で軸部材を相対回転自在に支持する流体軸受装置に関するものである。この軸受装置は、情報機器、例えばＨＤＤ等の磁気ディスク駆動装置、ＣＤ−ＲＯＭ、ＣＤ−Ｒ／ＲＷ、ＤＶＤ−ＲＯＭ／ＲＡＭ等の光ディスク駆動装置、ＭＤ、ＭＯ等の光磁気ディスク駆動装置等のスピンドルモータ、レーザビームプリンタ（ＬＢＰ）のポリゴンスキャナモータ、プロジェクタのカラーホイールモータ、あるいはファンモータなどの小型モータ用として好適に使用可能である。
【背景技術】
【０００２】
上記各種モータには、高回転精度の他、高速化、低コスト化、低騒音化等が求められている。これらの要求性能を決定づける構成要素の１つに当該モータのスピンドルを支持する軸受があり、近年では、上記要求性能に優れた特性を有する流体軸受の使用が検討され、あるいは実際に使用されている。
【０００３】
この種の流体軸受は、軸受隙間内の潤滑流体に動圧作用を発生させるための動圧発生部を備えた動圧軸受と、動圧発生部を備えていない、いわゆる真円軸受（軸受断面が真円形状である軸受）とに大別される。
【０００４】
例えば、ＨＤＤ等のディスク駆動装置のスピンドルモータに組み込まれる流体軸受装置では、軸部材をラジアル方向に支持するラジアル軸受部又はスラスト方向に支持するスラスト軸受部の双方を動圧軸受で構成する場合がある。この種の流体軸受装置（動圧軸受装置）におけるラジアル軸受部としては、例えば軸受スリーブの内周面と、これに対向する軸部材の外周面との何れか一方に動圧発生部としての動圧溝を形成すると共に、両面間にラジアル軸受隙間を形成するものが知られている（例えば、特許文献１を参照）。
【０００５】
通常、軸受スリーブはハウジングの内周の所定位置に固定され、また、ハウジングの内部空間に注油した潤滑油が外部に漏れ出るのを防止するために、ラジアル軸受隙間と連通するハウジングの開口部にシール部材を配設する場合が多い。シール部材の内周面は、軸部材の外周面との間にシール空間を形成し、このシール空間の容積は、ハウジングの内部空間に充満された潤滑油が使用温度範囲内での膨張、あるいは収縮によって体積変化する量よりも大きくなるように設定される。従って、温度変化に伴う潤滑油の体積変化があった場合でも、潤滑油の油面は常にシール空間内に維持される（例えば、特許文献２参照）。
【特許文献１】特開２００３−２３９９５１号公報
【特許文献２】特開２００３−６５３２４号公報
【発明の開示】
【発明が解決しようとする課題】
【０００６】
上述のように、従来の流体軸受装置では、ハウジングの開口部に固定したシール部材の内周面と軸部材の外周面との間にシール空間を形成しているが、このシール空間に、温度変化に伴う潤滑油の体積変化量を吸収する機能（バッファ機能）を持たせようとすると、シール空間（シール部材）の軸方向寸法を比較的大きく確保する必要がある。そのために、設計上、ハウジングの内部において、軸受スリーブの軸方向中心位置を相対的にハウジングの底部側（反シール部材側）に下げる必要が生じる。これにより、ラジアル軸受部の軸受中心と回転体重心との離間距離が大きくなり、使用条件等によっては、モーメント荷重に対する負荷能力が不足する場合が起こり得る。
【０００７】
また、上記シール空間のバッファ機能を高めるため、当該シール空間を形成するシール部材の内周面と軸部材の外周面との間の対向間隔を大きくとる方法も考えられるが、これだと、シール空間内の潤滑油が衝撃等により軸受外部に容易に漏れ出す恐れがあり好ましくない。
【０００８】
本発明の課題は、シール容積を確保すると共に、モーメント荷重に対する高い負荷能力を有する流体軸受装置を提供することである。
【０００９】
本発明の別の課題は、シール容積を確保すると共に、高いシール機能を有する流体軸受装置を提供することである。
【課題を解決するための手段】
【００１０】
前記課題を解決するため、本発明は、ハウジング部と、ハウジング部の内部に設けられるスリーブ部と、ハウジング部およびスリーブ部に対して相対回転する軸部材と、スリーブ部と軸部材との間のラジアル軸受隙間に生じる流体の潤滑膜で軸部材をラジアル方向に回転自在に支持するラジアル軸受部と、スリーブ部の少なくとも一端側に位置する環状のシール部とを備えたものにおいて、シール部は軸部材に設けられ、シール部の外周面の側にシール空間が形成され、シール部のシール空間に臨む外周面は、外周面の機械加工時に生成された加工痕を有し、加工痕は、シール空間内の流体をハウジング部の内部側に引込み可能な形状を有することを特徴とする流体軸受装置を提供する。
【００１１】
このように、本発明は、軸部材に設けられたシール部の外周面の側にシール空間を設けたことを第１の特徴とするものであり、これによれば、従来品に比べてシール空間の形成位置を外径側に移動させて、かかるシール容積を増加させることが可能となる。そのため、ハウジング部の内部空間に充満された流体（例えば潤滑油）の温度変化に伴う体積変化量を吸収可能な程度にシール容積を確保しつつも、シール空間（シール部）の軸方向寸法を縮小することが可能となる。従って、ハウジング部に対するスリーブ部の軸方向中心位置を従来よりも相対的にシール部の側に近づけて設定することができる。これにより、ラジアル軸受部の軸受中心と回転体重心との離間距離を小さくして、モーメント荷重に対する負荷能力を高めることができる。
【００１２】
また、本発明は、シール部のシール空間に臨む外周面が、この外周面の機械加工時に生成された加工痕を有し、加工痕は、シール空間内の流体をハウジング部の内部側に引込み可能な形状を有することを第２の特徴とするものである。
【００１３】
上述のように、シール空間を外径側に配設することにより、シール部の軸方向寸法を縮小することが可能となるが、その一方、シール空間の軸方向寸法が狭められることで、例えば衝撃等によりシール空間内の潤滑油が外部に飛散し易くなる恐れがある。本発明は、この点に鑑みて成されたものであり、上記構成によれば、シール空間内の流体が、シール部の外周面に生成された加工痕によってハウジング部の内部側に引込まれる。従って、シール空間の半径方向寸法をある程度大きく取りつつも、言い換えるとシール空間におけるシール容積を確保しつつも、高いシール性能を流体軸受装置に付与することが可能となる。また、上記加工痕は、シール部外周面の機械加工と同時にその外周面に形成されるものであるから、シール部の機械加工とは別に上記流体の引込み作用を生ずる手段をシール部に形成するための加工は必要無く、これにより加工工程の簡略化が図られる。
【００１４】
上記加工痕は、例えば旋削加工時に生成された螺旋状の切削痕であることが望ましい。この場合、シール部の外周全面に亘って均一な切削痕が得られ、これにより、流体のハウジング部の内部側（軸受内部側）への引込み作用がシール空間の周方向で均等に生じる。従って、流体の軸受外部への漏れ出しをもれなく防止することができる。
【００１５】
シール空間の幅（半径方向寸法）は軸方向に均一であってもよいが、よりシール性を高める観点から、シール空間は軸受内部方向に向けて漸次縮小したテーパ形状を有していることが好ましい。シール空間を上記テーパ形状とすることで、シール空間内の潤滑油がシール空間が狭くなる方向（例えばハウジング部の内部側）に向けて毛細管力により引き込まれる。そのため、軸受外部への潤滑油の漏れ出しが効果的に防止される。このような形状のシール空間を形成するための構成として、例えばシール部の外周面に、ハウジング部の外部に向けて漸次縮径するテーパ面を形成する構成を挙げることができる。かかる構成によれば、上記加工痕やテーパ状シール空間の毛細管力による引き込み作用に加え、軸部材の回転時、シール空間内の潤滑油が遠心力を受けてテーパ面に沿って狭小側に引込まれる作用（遠心力シール作用）を得ることができ、潤滑油の漏れ出しがより一層効果的に防止される。
【発明の効果】
【００１６】
以上のように、本発明によれば、シール容積を確保すると共に、モーメント荷重に対する高い負荷能力を有する流体軸受装置を提供することができる。また、高いシール機能を有する流体軸受装置を提供することができる。
【発明を実施するための最良の形態】
【００１７】
以下、本発明の第１実施形態を図１〜図３に基づいて説明する。
【００１８】
図１は、本発明の一実施形態に係る流体軸受装置（動圧軸受装置）１を組込んだ情報機器用スピンドルモータの一構成例を概念的に示している。このスピンドルモータは、ＨＤＤ等のディスク駆動装置に用いられるもので、軸部材２を回転自在に支持する流体軸受装置１と、軸部材２に固定されたディスクハブ３と、例えば半径方向のギャップを介して対向させたステータコイル４およびロータマグネット５と、ブラケット６とを備えている。ステータコイル４はブラケット６の外周に取付けられ、ロータマグネット５はディスクハブ３の内周に取付けられる。流体軸受装置１はブラケット６の内周に固定される。ディスクハブ３には、情報記憶媒体としてのディスクＤが１又は複数枚（図１では２枚）保持される。上述のように構成されたスピンドルモータにおいて、ステータコイル４に通電すると、ステータコイル４とロータマグネット５との間に発生する励磁力でロータマグネット５が回転し、それによってディスクハブ３およびディスクハブ３に保持されたディスクＤが軸部材２と一体に回転する。
【００１９】
図２は、流体軸受装置１を示している。この流体軸受装置１は、ハウジング部７と、ハウジング部７の内周に固定されるスリーブ部８と、ハウジング部７およびスリーブ部８に対して回転する軸部材２と、軸方向に離隔した状態でそれぞれ軸部材２に固定され、ハウジング部７の軸方向両端で第一シール空間Ｓ１、および第二シール空間Ｓ２を形成する第一シール部９、および第二シール部１０とを備える。なお、説明の便宜上、流体軸受装置１から軸部材２のディスクハブ３圧入側端部が突出する側を上側、軸部材２の突出側と反対の側を下側として以下説明する。
【００２０】
ハウジング部７は両端開口の筒状をなし、例えば真ちゅう等の金属で、あるいはＬＣＰ、ＰＰＳ、ＰＥＥＫ等の結晶性樹脂や、ＰＰＳＵ、ＰＥＳ、ＰＥＩ等の非晶性樹脂をベースとする樹脂組成物の射出成形で形成される。ハウジング部７の内周面７ａは軸方向に径一定でストレートな円筒面となっており、その軸方向中間位置にスリーブ部８を固定している。
【００２１】
スリーブ部８は、例えば金属製の非孔質体あるいは焼結金属からなる多孔質体で円筒状に形成される。この実施形態では、スリーブ部８は、銅を主成分とする焼結金属の多孔質体で円筒状に形成され、ハウジング部７の内周面７ａに、例えば接着（ルーズ接着を含む）、圧入（圧入接着を含む）、溶着（超音波溶着を含む）等、適宜の手段で固定される。もちろん、スリーブ部８を樹脂やセラミック等、金属以外の材料で形成することも可能である。
【００２２】
スリーブ部８の内周面８ａの全面又は一部円筒領域には、ラジアル動圧発生部として複数の動圧溝を配列した領域が形成される。この実施形態では、例えば図３（ａ）に示すように、複数の動圧溝８ａ１、８ａ２をヘリングボーン形状に配列した領域が軸方向に離隔して２箇所形成される。これら動圧溝８ａ１、８ａ２の形成領域はそれぞれラジアル軸受面として軸部材２の外周面２ａと対向し、軸部材２の回転時には、外周面２ａとの間に後述する第一、第二ラジアル軸受部Ｒ１、Ｒ２のラジアル軸受隙間をそれぞれ形成する（図２を参照）。
【００２３】
スリーブ部８の上端面８ｂの全面又は一部環状領域には、スラスト動圧発生部として、例えば図３（ｂ）に示すように、複数の動圧溝８ｂ１をスパイラル形状に配列した領域が形成される。この動圧溝８ｂ１形成領域はスラスト軸受面として、第一シール部９の下端面９ａと対向し、軸部材２の回転時には、下端面９ａとの間に後述する第一スラスト軸受部Ｔ１のスラスト軸受隙間を形成する（図２を参照）。
【００２４】
スリーブ部８の下端面８ｃの全面又は一部環状領域には、スラスト動圧発生部として、例えば図３（ｃ）に示すように、複数の動圧溝８ｃ１をスパイラル状に配列した領域が形成される。この動圧溝８ｃ１形成領域はスラスト軸受面として、第二シール部１０の上端面１０ａと対向し、軸部材２の回転時には、上端面１０ａとの間に後述する第二スラスト軸受部Ｔ２のスラスト軸受隙間を形成する（図２を参照）。
【００２５】
軸部材２は、例えばステンレス鋼等の金属材料で形成され、スリーブ部８の内周に挿入される。軸部材２は全体として概ね同径の軸状をなし、その外周面２ａの軸方向中間部（動圧溝８ａ１、８ａ２形成領域と対向しない箇所）には、他所よりも僅かに小径に形成した逃げ部２ｂが形成される。また、軸部材２の外周面２ａのうち、第一シール部９および第二シール部１０の固定領域には円環溝２ｃがそれぞれ形成される。なお、この実施形態では、軸部材２は金属製の一体加工品であるが、例えば金属と樹脂とからなるハイブリッド軸（鞘部が金属で、芯部が樹脂など）とすることも可能である。
【００２６】
第一シール部９および第二シール部１０は、例えば真ちゅう等の銅合金をはじめとする金属材料で環状に形成される。第一シール部９は、その下端面９ａをスリーブ部８の上端面８ｂと対向させた状態で軸部材２の外周に固定され、第二シール部１０は、その上端面１０ａをスリーブ部８の下端面８ｃと対向させた状態で軸部材２の外周に固定される。この際、第一シール部９の下端面９ａと、第二シール部１０の上端面１０ａとの軸方向対向間隔から、両面９ａ、１０ａ間に配置されるスリーブ部８の軸方向寸法を減じた値が、後述する第一、第二スラスト軸受部Ｔ１、Ｔ２のスラスト軸受隙間の総和として設定される。なお、この実施形態では、軸部材２の外周面２ａのうち、シール部９、１０の固定領域にそれぞれ円環溝２ｃを設けたので、例えば接着剤を使用してシール部９、１０の内周面９ｃ、１０ｃを軸部材２の外周面２ａに固定する場合、上記円環溝２ｃが接着剤溜りとして作用し、これによりシール部９、１０の軸部材２に対する接着強度（固定強度）が向上する。もちろん、各シール部９、１０と軸部材２との固定手段としては、接着に限らず、圧入や圧入を伴った接着等、他の手段を用いることも可能である。
【００２７】
第一シール部９の外周面９ｂには、図２に示すように、上方（スリーブ部８から第一シール部９に向けて離隔する方向）に向けて漸次縮径する環状のテーパ面９ｂ１が形成される。このテーパ面９ｂ１は、例えば第一シール部９の外周面９ｂを旋削加工で形成する際、同時に旋削で形成される。従って、完成品としての第一シール部９のテーパ面９ｂ１上には、例えば図２左上部に示すように、螺旋状の切削痕１１が生成される。同様に、第二シール部１０の外周面１０ｂにも、下方（スリーブ部８から第二シール部１０に向けて離隔する方法）に向けて漸次縮径する環状のテーパ面１０ｂ１が形成され、このテーパ面１０ｂ１上には、例えば図２左下部に示すように、螺旋状の切削痕１２が生成される。
【００２８】
また、第一シール部９のテーパ面９ｂ１上に生成される螺旋状の切削痕１１は水平方向（回転軸に直交する方向）に対して傾斜しており、その傾斜方向は、スリーブ部８の、軸方向下方に向けて潤滑油を引込む動圧溝８ａ１上部領域の傾斜方向に一致している（図２および図３を参照）。かかる傾斜方向は、旋削加工時、ワークに対する切削刃の送り方向（例えばテーパ面９ｂ１の小径側から大径側）により調整可能である。第二シール部１０のテーパ面１０ｂ１上に生成される螺旋状の切削痕１２についても、同様に、その傾斜方向は、軸方向上方に向けて潤滑油を引込む動圧溝８ａ２下部領域の傾斜方向と一致している。
【００２９】
上記構成の第一シール部９を軸部材２に固定した状態では、テーパ面９ｂ１を含む外周面９ｂと、外周面９ｂに対向するハウジング部７の上端内周面７ａ１との間に、半径方向寸法が下方に向けて漸次縮小するテーパ状の第一シール空間Ｓ１が形成される。
【００３０】
同様に、上記構成の第二シール部１０を軸部材２に固定した状態では、テーパ面１０ｂ１を含む外周面１０ｂと、外周面１０ｂに対向するハウジング部７の下端内周面７ａ２との間に、半径方向寸法が上方に向けて漸次縮小するテーパ状の第二シール空間Ｓ２が形成される。
【００３１】
上述のようにしてアセンブリを行った後、シール部９、１０で密閉されたハウジング部７の内部空間に潤滑油を注油する。これにより、スリーブ部８の内部空孔を含む、軸受内部空間を潤滑油で充満した流体軸受装置１が完成する。この際、第一および第二シール空間Ｓ１、Ｓ２の容積の総和は、少なくとも流体軸受装置１の内部空間に充満した潤滑油の温度変化に伴う体積変化量よりも大きい。そのため、潤滑油の油面は、常に両シール空間Ｓ１、Ｓ２内に維持される。
【００３２】
このように、シール空間Ｓ１、Ｓ２は、軸部材２の外周に固定された第一、第二シール部９、１０の外周面９ｂ、１０ｂとハウジング部７の両端内周面７ａ１、７ａ２との間に形成される。従って、ハウジング部に固定したシール部と軸部材の外周面との間にシール空間を形成する場合（例えば、特許文献２を参照）に比べ、シール空間をより外径側に形成することができ、これにより両シール部９、１０の軸方向幅を縮小しつつもシール空間Ｓ１、Ｓ２のシール容積を確保することができる。そのため、例えばスリーブ部８のハウジング部７に対する軸方向固定位置を従来よりも上方（ディスクハブ３の側）に近づけて、ラジアル軸受部Ｒ１、Ｒ２の軸受中心と回転体（ここではディスクハブ３を固定した軸部材２）重心との離間距離を小さくし、流体軸受装置１のモーメント荷重に対する負荷能力を高めることができる。あるいは、流体軸受装置１全体の軸方向寸法はそのままで、スリーブ部８の軸方向幅を増大させることで、ラジアル軸受部Ｒ１、Ｒ２間の離間距離を大きくとることができるので、これによっても、モーメント荷重に対する負荷能力を高めることができる。なお、前者の場合には、少なくとも両シール部９、１０の軸方向幅を縮小した分、流体軸受装置１の軸方向寸法を従来よりも小さくすることができ、これにより流体軸受装置１の小サイズ化を図ることが可能となる。
【００３３】
また、この実施形態では、第一シール部９の外周面９ｂに、第一シール空間Ｓ１内の潤滑油をハウジング部７の内部側に向けて引込み可能な形状を有する、螺旋状の切削痕１１が形成されるので、第一シール空間Ｓ１内の潤滑油が螺旋状の切削痕１１を伝って第一スラスト軸受部Ｔ１のスラスト軸受隙間外径部に引込まれる。これにより、流体軸受装置１内に充満した潤滑油の軸受外部への漏れ出しを可及的に防止することができる。また、この実施形態では、螺旋状をなす切削痕１１の傾斜方向を、スリーブ部８の動圧溝８ａ１上部領域の傾斜方向に一致させているので、特に軸部材２の回転時、切削痕１１による潤滑油の下方への引込み作用をさらに高めて、かかるシール作用が一層向上する。
【００３４】
また、この実施形態では、第一シール部９の外周面９ｂに、軸方向上方に向けて縮径するテーパ面９ｂ１を形成したので、ハウジング部７の上端内周面７ａ１との間のシール空間Ｓ１は、下方に向けて半径方向寸法を漸次縮小した形状（テーパ形状）をなす。従って、軸部材２の回転時、螺旋状の切削痕１１による潤滑油の引込み作用に加え、テーパ状のシール空間Ｓ１による引込み作用、および遠心力による引込み作用により、潤滑油の流体軸受装置１外部への漏れ出しが一層効果的に抑制される。同様に、第二シール部１０および第二シール空間Ｓ２においても、軸部材２の回転時、螺旋状の切削痕１２による潤滑油の引込み作用に加え、テーパ状のシール空間Ｓ２による引込み作用、さらには遠心力による引込み作用により、流体軸受装置１外部への潤滑油の漏れ出しが効果的に抑制される。
【００３５】
上記構成の流体軸受装置１において、軸部材２の回転時、スリーブ部８の内周面８ａの動圧溝８ａ１、８ａ２形成領域は、軸部材２の外周面２ａとラジアル軸受隙間を介して対向する。そして、軸部材２の回転に伴い、上記ラジアル軸受隙間の潤滑油が動圧溝８ａ１、８ａ２の軸方向中心側に押し込まれ、その圧力が上昇する。このような動圧溝８ａ１、８ａ２の動圧作用によって、軸部材２をラジアル方向に非接触支持する第一ラジアル軸受部Ｒ１と第二ラジアル軸受部Ｒ２とがそれぞれ構成される（図２を参照）。
【００３６】
これと同時に、スリーブ部８の上端面８ｂに形成された動圧溝８ｂ１形成領域とこれに対向する第一シール部９の下端面９ａとの間のスラスト軸受隙間、およびスリーブ部８の下端面８ｃに形成された動圧溝８ｃ１形成領域とこれに対向する第二シール部１０の上端面１０ａとの間のスラスト軸受隙間に、動圧溝８ｂ１、８ｃ１の動圧作用により潤滑油の油膜がそれぞれ形成される。そして、これら油膜の圧力によって、軸部材２をスラスト方向に非接触支持する第一スラスト軸受部Ｔ１と第二スラスト軸受部Ｔ２とがそれぞれ構成される。
【００３７】
以上、本発明の一実施形態を説明したが、本発明は、この実施形態に限定されることなく、上記以外の構成をなす流体軸受装置にも適用可能である。
【００３８】
上記実施形態では、シール部９、１０の機械加工により外周面９ｂ、１０ｂに生成された加工痕として、各テーパ面９ｂ１、１０ｂ１上に生成された螺旋状の切削痕１１、１２を例示したが、シール空間Ｓ１、Ｓ２内の潤滑油を軸受内部に引込む形状を有する限り、他形状の加工痕であってもよい。また、各シール部９、１０の機械加工も旋削に限ることなく、例えば砥石による研削加工等によって上記加工痕を形成しても構わない。
【００３９】
また、上記実施形態では、シール部９、１０の外周に設けたテーパ面９ｂ１、１０ｂ１と、ストレート形状をなすハウジング部７の両端内周面７ａ１、７ａ２との間にテーパ状のシール空間Ｓ１、Ｓ２を形成した場合を説明したが、これとは逆に、シール部９、１０の外周面９ｂ、１０ｂをストレート面とし、ハウジング部７の両端内周面７ａ１、７ａ２をそれぞれ軸受外部に向けて拡径するテーパ面（図示は省略）とすることも可能である。もちろん、対向する両面９ｂ、７ａ１（１０ｂ、７ａ２）を何れもテーパ面形状とすることもでき、あるいは何れもストレート面であっても構わない。
【００４０】
また、上記実施形態では、軸部材２に二つのシール部９、１０を固定し、これによりハウジング部７の両端開口部をそれぞれシールする構造を例示したが、本発明は、一端を閉口したハウジング部を有し、その他端開口部を、軸部材に固定された一のシール部でシールする構造の流体軸受装置（図示は省略）についても適用可能である。
【００４１】
また、以上の実施形態では、ハウジング部７とスリーブ部８とをそれぞれ別体とし、スリーブ部８をハウジング部７の内部に固定する場合を説明したが、これらを金属又は樹脂の一体品とすることも可能である。あるいは一方の金属製部品をインサート部品として他方の部品と共に樹脂でインサート成形することも可能である。
【００４２】
また、以上の実施形態では、動圧溝などの動圧発生部を、スリーブ部８の内周面８ａや上端面８ｂ、下端面８ｃの側に形成した場合を説明したが、この形態に限られる必要はない。例えばこれら動圧発生部を、これらと対向する軸部材２の外周面２ａや第一シール部９の下端面９ａ、第二シール部１０の上端面１０ａの側に形成することもできる。以下に示す形態の動圧発生部についても同様に、対向する軸部材２やシール部９、１０の側に形成することができる。
【００４３】
また、以上の実施形態では、ラジアル軸受部Ｒ１、Ｒ２やスラスト軸受部Ｔ１、Ｔ２として、へリングボーン形状やスパイラル形状の動圧溝により潤滑流体の動圧作用を発生させる構成を例示しているが、本発明はこれに限定されるものではない。
【００４４】
例えば、ラジアル軸受部Ｒ１、Ｒ２として、図示は省略するが、軸方向の溝を円周方向の複数箇所に配列した、いわゆるステップ状の動圧発生部、あるいは、円周方向に複数の円弧面を配列し、対向する軸部材２の外周面２ａとの間に、くさび状の径方向隙間（軸受隙間）を形成した、いわゆる多円弧軸受を採用してもよい。
【００４５】
あるいは、スリーブ部８の内周面８ａを、動圧発生部としての動圧溝や円弧面等を設けない真円内周面とし、この内周面と対向する軸部材２の真円状外周面２ａとで、いわゆる真円軸受を構成することができる。
【００４６】
また、スラスト軸受部Ｔ１、Ｔ２の一方又は双方は、同じく図示は省略するが、スラスト軸受面となる領域に、複数の半径方向溝形状の動圧溝を円周方向所定間隔に設けた、いわゆるステップ軸受、あるいは波型軸受（ステップ型が波型になったもの）等で構成することもできる。
【００４７】
また、スラスト軸受部Ｔ１、Ｔ２を、動圧溝の動圧作用により、軸部材２を非接触支持するもので構成する以外に、例えば軸部材２の端部を球面状とし、これに対向するスラスト軸受面との間で接触支持する、いわゆるピボット軸受で構成することも可能である
【図面の簡単な説明】
【００４８】
【図１】本発明の一実施形態に係る流体軸受装置を組込んだスピンドルモータの断面図である。
【図２】流体軸受装置の断面図である。
【図３】スリーブ部の（ａ）含軸断面図、（ｂ）上端面図、および（ｃ）下端面図である。
【符号の説明】
【００４９】
１        流体軸受装置
２        軸部材
３        ディスクハブ
４        ステータコイル
５        ロータマグネット
７        ハウジング部
７ａ      内周面
８        スリーブ部
８ａ１、８ａ２  動圧溝
８ｂ      上端面
８ｃ      下端面
９        第一シール部
９ｂ      外周面
９ｂ１    テーパ面
１０      第二シール部
１０ｂ    外周面
１０ｂ１  テーパ面
１１、１２  切削痕（加工痕）
Ｓ１、Ｓ２  シール空間
Ｒ１、Ｒ２  ラジアル軸受部
Ｔ１、Ｔ２  スラスト軸受部
【図１】
2007051719.tif 000003
【図２】
2007051719.tif 000004
【図３】
2007051719.tif 000005